Podtech/llm-jp-corpus-v4-ja_patent huggingface dataset:
(57)【要約】      （修正有）【課題】三角巾着用等による髪型のくずれを防止する、髪型保護カチューシャを提供する。【解決手段】髪型保護カチューシャは、弾性部材の合成樹脂からなる平面視略Ｃ字状バンドを本体にし、この本体の上端周縁部に立ち上がり縁を設け、更に該立ち上がり周縁の前頭部面は湾曲状にし、前記本体部に平面視略Ｃ字状の半径のバンドを重ねて設けるとともに、前記半径バンドの所定箇所に面ファスナーを設けて構成することを特徴とする。【選択図】図１
0003153472.tif 000002
【実用新案登録請求の範囲】
【請求項１】
弾性部材の合成樹脂からなる平面視略Ｃ字状バンドを本体にし、この本体の上端周縁部に立ち上がり縁を設け、更に該立ち上がり周縁の前頭部面は湾曲状にする。前記本体部に平面視略Ｃ字状の半径のバンドを重ねて設けるとともに所定箇所にファスナーで構成する。
【考案の詳細な説明】
【技術分野】
【０００１】  本考案は、三角巾を頭部に着用等で生じる髪型くずれを、カチューシャタイプの支持具に髪くずれを防ぐ手段を設け、三角巾と用いる髪型保護カチューシャを提供する。
【背景技術】
【０００２】  食品食料関係の作業又はスーパーのレジ作業では三角巾を衛生のため頭髪を覆うことが義務付けとなっている。その三角巾を長時間着用すると髪の毛が頭部に押しつぶされて髪型がくずれる。髪は女の命と言うほど女性にとって髪型は大事なポイントである為、髪型がくずれると外見的にダメージを受けて不快感になる。仕事後の用事や買い物も快適に出来なくなる。
【考案の概要】
【考案が解決しようとする課題】
【０００３】  本考案は、三角巾を着用した際、髪の毛が頭部に押しつぶれないように保護する、またはセットした髪型を維持できる髪型保護カチューシャを提供することより前述の欠点を解決する。
【課題を解決するための手段】
【０００４】  本考案は、弾性部材の合成樹脂からなる平面視略Ｃ字状バンドを本体にし、このＣ字状バンド本体の上端周縁部に所定の幅の立ち上り周縁部を設ける。さらに、該本体のＣ字状のバンド部に弾性部材の合成樹脂からなる平面視略Ｃ字状の半径バンドを重ねて設ける。前記本体に設けた立ち上がり周縁部の前頭部分面は湾曲状に形成されて且つ、使用者の前頭部面と対抗角度αになっている為、髪型を保護できて上述の問題点を解決する。
【考案の効果】
【０００５】  上述の様に、本考案の髪型保護カチューシャは三角巾着用の際に使うことにより髪型がくずれないように保護し、またはセットした髪型を維持する。三角巾の圧迫を防ぐことで頭部分の通気性も良くなる。
【図面の簡単な説明】
【０００６】
【図１】本考案の着用方法を示す側面図である。
【図２】本考案の全体斜視図である。
【図３】本考案の前頭部分を示す側面図である。
【図４】本考案の、図２の一部拡大分解斜視図である。
【考案を実施するための形態】
【０００７】  本考案は、三角巾を着用する前に用いるもので、使用者の額と髪の生え際の間、又は頭頂部に髪型保護カチューシャを装着して、三角巾を着用する。
【０００８】  本考案の本体部に、立ち上がり周縁部を設けたことで、使用者が三角巾を着用した際、この立ち上がり周縁部が三角巾の圧迫力を受けないように保護する為、髪が頭部に押しつぶれなくなる。
【０００９】  さらに、前記本体に弾性部材の合成樹脂からなる平面視略Ｃ字状の半径バンドを重ねて設けたことで密接に該髪型保護カチューシャと三角巾を使用者が着用できる。また、既成の三角巾に面ファスナーを取り付て着脱自在を簡易にする。
【００１０】  本考案の髪型保護カチューシャは、表面は布で覆ったもので、額に接触する部分は吸収性が良い布で汗の垂れを防ぐようにする。または、日々の使用によって、汗の吸収、化粧の付着のため、洗濯可能の布製で形成する。
【実施例】
【００１１】  以下、添付図面に従って一実施例を説明する。
図１は、本考案の髪型保護カチューシャ１と三角巾７を着用した状態を示す側面図である。（Ａ）は本考案を額と髪の生え際の間に着用し、三角巾が髪全体を覆う着用方法を示す図である。（Ｂ）は本考案を頭頂部分に着用し、前髪を三角巾で覆ない場合の着用方法を示す図である。図２においては、本考案の髪型保護カチューシャ１はＣ字状バンド２に上端周縁部に立ち上がり縁３とＣ字状の半径バンド４で構成されていることを示す側面図である。【００１２】  図３においては、本考案の髪型保護カチューシャ１の立ち上がり縁３の前頭部面は湾曲状に構成されていることを示す。髪型保護カチューシャ１を着用した際、使用者の前頭部面と対抗角度αにより空間ができて、髪の毛またはセットした髪型がその空間を利用することで押しつぶれなく維持できることを示す側面図である。
【符号の説明】
【００１３】    １  髪型保護カチューシャ
２  本体
３  立ち上がり周縁部
４  Ｃ字状の半径バンド
５  対抗角度α
６  面ファスナー
７  三角巾
【図１】
0003153472.tif 000003
【図２】
0003153472.tif 000004
【図３】
0003153472.tif 000005
【図４】
0003153472.tif 000006
【手続補正書】
【提出日】平成21年6月13日(2009.6.13)
【手続補正１】
【補正対象書類名】実用新案登録請求の範囲
【補正対象項目名】全文
【補正方法】変更
【補正の内容】
【実用新案登録請求の範囲】
【請求項１】
弾性部材の合成樹脂からなる平面視略Ｃ字状バンドを本体にし、この本体の上端周縁部に立ち上がり縁を設け、更に該立ち上がり周縁の前頭部面は湾曲状にし、前記本体部に平面視略Ｃ字状の半径のバンドを重ねて設けるとともに、前記半径バンドの所定箇所に面ファスナーを設けて構成することを特徴とする髪型保護カチューシャ。
(57)【要約】      （修正有）【課題】着脱、洗濯、アイロンがけを簡単にし、ファスナーの位置も着用する人によって変えられ、授乳も可能な輪さらしを提供する。【解決手段】さらし本体１の両端にファスナー２を付け、さらし本体上辺に安全ピンもしくはブラジャーストラップを付ける事の出来るゴム製テープ３を付ける。【選択図】図２
0003153474.tif 000002
【実用新案登録請求の範囲】
【請求項１】
さらし本体にファスナー及び安全ピンもしくはブラジャーストラップを付ける事の出来る布製テープの輪を付ける事により、着脱、洗濯、アイロンがけが簡単に出来る輪さらし。
【請求項２】
ファスナーと布製テープの輪のシンプルな構造なのでファスナーの位置を身体の右でも左でも後ろでも好きな場所で使用する事が出来る輪さらし。
【請求項３】
今まで不可能だった衣装を着用してからの授乳を可能にした輪さらし。
【考案の詳細な説明】
【技術分野】
【０００１】
本考案は、着脱簡単なさらしに関するものである。
【背景技術】
【０００２】
お祭りに出演する際、ハッピや着物の下に着用する下着代わりのさらしは、長い物（10メートル近くの物）を身体にぐるぐると巻き付けて着用していた。
【考案の概要】
【考案が解決しようとする課題】
【０００３】
長いさらしをそのまま着用するには、着用する際に置いての時間、手間がだいぶかかる。さらに、それを洗濯、アイロンがけするのは大変な労力を要する。
【課題を解決するための手段】
【０００４】
本考案は、さらしを4重に折り畳んだ物にファスナーと安全ピンやストラップを付ける事の出来る布製テープを付ける事によって、問題点を解決している。
【考案の効果】
【０００５】
上述のように、本考案の輪さらしは着脱の簡単さはもちろん、洗濯、アイロンの手間もだいぶ簡単に出来るようになり、従来では出来なかった衣装を着てからの授乳も可能にしている。ファスナーは後ろでも横でも使用可能である。
【図面の簡単な説明】
【０００６】
【図１】本考案の平面図である。
【図２】ファスナーを閉じた際のパースである。
【考案を実施するための形態】
【０００７】
さらしをサイズによってそれぞれのサイズ別の長さに4回重ねて折り畳み、その両端にファスナーを取り付ける。着用した際の前後4カ所に布製テープで作った輪を付ける事により、安全ピンで下に着用しているブラジャーに取り付けたり、市販のブラジャーストラップを付ける事が可能である。
【実施例１】
【０００８】
以下、添付図面に従って一実例を説明する。１は木綿100％のさらし本体。２はプラスティック製ファスナー、３は安全ピンもしくはブラジャーストラップを付ける為の布製テープである。
【符号の説明】
【０００９】
１  さらし本体
２  ファスナー
３  布製テープ
【図１】
0003153474.tif 000003
【図２】
0003153474.tif 000004
【手続補正書】
【提出日】平成21年5月19日(2009.5.19)
【手続補正１】
【補正対象書類名】明細書
【補正対象項目名】全文
【補正方法】変更
【補正の内容】
【考案の詳細な説明】
【技術分野】
【０００１】
本考案は、着脱簡単なさらしに関するものである。
【背景技術】
【０００２】
お祭りに出演する際、ハッピや着物の下に着用する下着代わりのさらしは、長い物（10m近くの物）を身体にぐるぐると巻き付けて着用していた。
【考案の概要】
【考案が解決しようとする課題】
【０００３】
長いさらしをそのまま着用するには、着用する際に置いての時間、手間がだいぶかかる。さらに、それを洗濯、アイロンがけするのは大変な労力を要する。
【課題を解決するための手段】
【０００４】
本考案は、さらしを4重に折り畳んだ物にファスナーと安全ピンやストラップを付ける事の出来るゴム製テープを付ける事によって、問題点を解決している。
【考案の効果】
【０００５】
上述のように、本考案の輪さらしは着脱の簡単さはもちろん、洗濯、アイロンの手間もだいぶ簡単に出来るようになり、従来では出来なかった衣装を着てからの授乳も可能にしている。ファスナーは後ろでも横でも使用可能である。
【図面の簡単な説明】
【０００６】
【図１】本考案の平面図である。
【図２】ファスナーを閉じた際のパースである。
【考案を実施するための形態】
【０００７】
さらしをサイズによってそれぞれのサイズ別の長さに4回重ねて折り畳み、その両端にファスナーを取り付ける。着用した際の前後4カ所にゴム製テープで作った輪を付ける事により、安全ピンで下に着用しているブラジャーに取り付けたり、市販のブラジャーストラップを付ける事が可能である。
【実施例】
【０００８】
以下、添付図面に従って一実例を説明する。１は木綿100％のさらし本体。
２はプラスティック製ファスナー、３は安全ピンもしくはブラジャーストラップを付ける為のゴム製テープである。
【符号の説明】
【０００９】
１  さらし本体
２  ファスナー
３  ゴム製テープ
【手続補正２】
【補正対象書類名】実用新案登録請求の範囲
【補正対象項目名】全文
【補正方法】変更
【補正の内容】
【実用新案登録請求の範囲】
【請求項１】
さらし本体にファスナー及び安全ピンもしくはブラジャーストラップを付ける事の出来るゴム製テープの輪を付ける事により、着脱、洗濯、アイロンがけが簡単に出来る輪さらし。
【請求項２】
ファスナーとゴム製テープの輪のシンプルな構造なのでファスナーの位置を身体の右でも左でも後ろでも好きな場所で使用する事が出来る輪さらし。
【請求項３】
今まで不可能だった衣装を着用してからの授乳を可能にした輪さらし。
【手続補正書】
【提出日】平成21年7月2日(2009.7.2)
【手続補正１】
【補正対象書類名】実用新案登録請求の範囲
【補正対象項目名】全文
【補正方法】変更
【補正の内容】
【実用新案登録請求の範囲】
【請求項１】
さらし本体の両端にファスナーを付け、さらし本体上辺に安全ピンもしくはブラジャーストラップを付ける事の出来るゴム製テープの輪を付ける事により、着脱、洗濯、アイロンがけが簡単に出来る輪さらし。
(57)【要約】      （修正有）【課題】店内で購入した物品を買い物バック内に入れたそのままの状態でも、サイズの異なる自転車の取付籠内にスムーズに入るように構成された自転車取付籠用買い物バックを提供する。【解決手段】買い物バックの持ち手を介して持ち上げた時、バックの底部がくさび形になるように買い物バックの底面が折れ曲がるように構成することでサイズの異なる自転車の取付籠にも買い物バックがスムーズに入るように構成した。【選択図】図３
0003153478.tif 000002
【実用新案登録請求の範囲】
【請求項１】
買い物用バックをバック持ち手を介して持ち上げることで底部がくさび形になるように底部の中央部分で二分、又は、複数に折れるように、前記買い物用バックの底部に厚布、厚紙、合成樹脂板、木板、金属板、の素材を縫い付けたり、貼り付けたり、差し込むことで、購入した物品を投入した際の前記買い物用バックをそのまま自転車の取付籠内にスムーズに入れられるように構成されたことを特徴とする自転車取付籠用買い物バック。
【考案の詳細な説明】
【技術分野】
【０００１】
本考案は、自転車に取付られたサイズの異なる籠用として使用する買い物バックにおいて、多くの買い物品で膨らんだ買い物バックはそのままでは自転車の取付籠内にスムーズに入り切らないため、その都度詰め替えざるをえなかった。このことから、買い物バックの底部の形状をくさび形に変形させることで、店内で購入した物品を買い物バック内に入れたそのままの状態で、自転車の取付籠にスムーズに入るように構成された自転車の取付籠用買い物バックに関するものである。
【背景技術】
【０００２】
一般には技術的なことは特に無く、自転車の取付籠内に入り切るように改めて買い物袋の物品を詰め替え直している。
【先行技術文献】
【特許文献】
【０００３】
【特許文献１】特になし。
【非特許文献１】特になし。
【考案の概要】
【考案が解決しようとする課題】
【０００４】
本考案は、上記の問題を解決するものであって、店内で購入した物品を買い物バック内に入れたそのままの状態でも、サイズの異なる自転車の取付籠内にスムーズに入るように構成された自転車取付籠用買い物バックを提供することを目的としている。
【課題を解決するための手段】
【０００５】
上記の目的を達成するための本考案の自転車の取付籠用買い物バックは、持ち手を介して持ち上げた時、バックの底部がくさび形になるように買い物バックの底面が折れ曲がるように構成することでサイズの異なる自転車の取付籠にも買い物バックがスムーズに入るように構成した。
【考案の効果】
【０００６】
本考案の自転車取付籠用買い物バックは、店内備え付けの籠に入った買い物客が購入した商品を、レジ係員が勘定後商品をそのまま移し替えるだけで、買い物客も手間いらずとなり、そのまま店外へ出て買い物バックを自転車の取付籠に入れ帰宅するだけとなり、レジ周辺の混雑もなくなることから店側しとてはレジ付近の面積も縮小でき、何よりもエコに対応したレジ袋不使用にと繋がる。
【図面の簡単な説明】
【０００７】
【図１】本考案を適用した自転車取付籠用買い物バックの底部を説明する第１実施例の斜視図である。
【図２】本考案を適用した自転車取付籠用買い物バックの底部がくさび形になったことを説明する第１実施例の斜視図である。
【図３】本考案を適用した自転車取付籠用買い物バックの第１実施例の図のＡ−Ａ断面の詳細図である。
【図４】本考案を適用した自転車取付籠用買い物バックの第１実施例の底部の拡大図である。
【図５】本考案を適用した自転車取付籠用買い物バックの第２実施例の底部の拡大図である。
【図６】本考案を適用した自転車取付籠用買い物バックの第３実施例の底部の拡大図である。
【考案を実施するための形態】
【０００８】
本考案は、多くの自転車に取付られている前籠において、縦幅２５ｃｍ〜３０ｃｍ、横幅３０ｃｍ〜４０ｃｍ、高さ２０ｃｍ〜３０ｃｍと異なるサイズが一般的で、スーパーマーケット等で購入した物品を入れた買い物バックは、物品の膨らみによりスムーズに前籠に入らないことが多い。この為買い物バックの底部をくさび形になるようにして底部を細めることでこれを解決するように製造する。
【実施例】
【０００９】
図１、図２、本考案に関する第１実施例の図であって、布、合成繊維、厚紙の素材を使用した縦幅２５ｃｍ、横幅３０ｃｍ、高さ３０ｃｍのバック１の底面２Ａのセンターを基として横方向に折り曲がるように厚布、厚紙、合成樹脂板、木板、金属板３Ａ、３Ｂ、の素材を縫い付けたり、貼り付けたり、差し込むように施し、このバック１を矢印で示す方向に持ち手４を介してバック１を持ち上げると、バック１内の物品の重量で底面２Ａが図２に示すようにくさび形底面２Ｂに細まる状態となるように構成されている。
【００１０】
図３は、本考案に関する第１実施例の図のＡ−Ａ断面の詳細図である。
【００１１】
図４は、本考案に関する第１実施例の底部の拡大図であって、バック１の底面２Ａに厚布、厚紙、合成樹脂板、木板、金属板３Ａ、３Ｂ、の素材を縫い付けたり、貼り付けたりして底面２Ａをくさび形底面２Ｂになるように施してある。
【００１２】
図５は、本考案に関する第２実施例の図であって、バック１の底面２Ａを二重底６にしてその間に厚布、厚紙、合成樹脂板、木板、金属板３Ａ、３Ｂ、の素材を差し込むことで底面２をくさび形底面２Ｂになるように施してある。
【００１３】
図６は、本考案に関する第３実施例の図であって、バック１の底面２Ａに複数の厚布、厚紙、合成樹脂板、木板、金属板３Ａ、３Ｂ、の素材を縫い付けたり、貼り付けたりして底面２Ａをくさび形底面２Ｂになるように施してある。
【産業上の利用可能性】
【００１４】
特になし。
【符号の説明】
【００１５】
１    バック
２Ａ  底面
２Ｂ  くさび形底面
３Ａ  厚布、厚紙、合成樹脂板、木板、金属板
３Ｂ  厚布、厚紙、合成樹脂板、木板、金属板
４    持ち手
５    物品
６    二重底
【図１】
0003153478.tif 000003
【図２】
0003153478.tif 000004
【図３】
0003153478.tif 000005
【図４】
0003153478.tif 000006
【図５】
0003153478.tif 000007
【図６】
0003153478.tif 000008
【手続補正書】
【提出日】平成21年7月8日(2009.7.8)
【手続補正１】
【補正対象書類名】実用新案登録請求の範囲
【補正対象項目名】全文
【補正方法】変更
【補正の内容】
【実用新案登録請求の範囲】
【請求項１】
買い物用バックをバック持ち手を介して持ち上げることで底部がくさび形になるように底部の中央部分で二分、又は、複数に折れるように、前記買い物用バックの底部に厚布、厚紙、合成樹脂板、木板、金属板のいずれかの素材を縫い付けたり、貼り付けたり、差し込むことで、購入した物品を投入した際の前記買い物用バックをそのまま自転車の取付籠内にスムーズに入れられるように構成されたことを特徴とする自転車取付籠用買い物バック。
(57)【要約】      （修正有）【課題】ケーブルのステップル止めを安全確実にするステップル打込器を提供する。【解決手段】１は軸のついた凹字型の金具、２は金具の先端、３は溝で、ステップル５を溝に差込み、それをケーブル６を跨いで造営材７に押しあて、ハンマーなどで取っ手に打撃を加えステップルを固定できる。打撃が強すぎても金具の先端が造営材に当り止まるためステップルが深くさせることがない。従ってケーブルを損傷することも指を負傷することもない。【選択図】図１
0003153732.tif 000002
【実用新案登録請求の範囲】
【請求項１】
軸の付いた凹字型の金具の内側に、ステップルを差し込むための溝を作ったことを特徴とするステップル打込み器
【考案の詳細な説明】
【技術分野】
【０００１】
本考案は、ステップル打込みに関するものである。
【背景技術】
【０００２】
電気工事の屋内配線は、ケーブルをステップルで造営材に止めていた。
【先行技術文献】
【特許文献】
【０００３】
【特許文献１】実開昭５８−１６４６６８号公報
【特許文献２】実開昭５５−１７７８５号公報
【考案の概要】
【考案が解決しようとする課題】
【０００４】
ケーブルをステップルで固定する作業は、ハンマーで小さい釘を打つ作業と同様に指を負傷したり、ケーブルを損傷することがあった。
そのためにさまざまなステップル打込み器の考案がある、しかし実用化されていない。ケーブルをステップルで固定する必要があるのは、造営材の側面、下面であり上面ではない。側面、下面のケーブルのステップル止めの作業はステップルにケーブルの重みが掛かり不安定になり従来のステップル打込み器では対応できない。
【課題を解決するための手段】
【０００５】
本考案は、軸の付いた凹字型の金具の内側にステップルを差し込むための溝を作ったことを特徴とし、その溝にステップルを差込み本体をハンマーでたたきステップルを固定することができ問題点を解決している。
【考案の効果】
【０００６】
上述の様に、凹字型の金具の内側にステップルを差し込む溝を作ったためステップルと金具の触れる部分が広くなりケーブルの重みが掛かっても安定している。
また本体を強くたたいても凹字型の金具の先端が造営材に当るためステップルを打込みすぎることがなくケーブルを損傷することがない。
【図面の簡単な説明】
【０００７】
【図１】本考案の実施形態を示す平面図
【図２】同ステップル打込み器の部分立体図
【考案を実施するための形態】
【０００８】
ステップル打込み器にステップルを差し込み、ステップルにケーブルをはさんで造営材に押しつける。この時ステップルにケーブルの重さが掛かるか溝のついた凹字型の金具によりステップルがぶれることがない。さらに本体に打撃を加えステップルが固定できる。
【実施例】
【０００９】
以下、添付図面に従って一実施例を説明する。１は軸のついた凹字型の金具、２は金具の先端、３は溝でステップル５を溝に差込み、それをケーブル６を跨いで造営材７に押しあて、ハンマーなどで取っ手に打撃を加えステップルを固定できる。打撃が強すぎても金具の先端が造営材に当り止まるためステップルが深くさせることがない。従ってケーブルを損傷することも指を負傷することもない。
【００１０】
本考案の一実施例は上述の如き構成からなるものであるからステップルを直接ハンマーでたたく必要がない、そのため安全に使用できる。
【符号の説明】
【００１１】
１      軸の付いた凹字型の金具
２      金具の先端
３      溝
４      取っ手
５      ステップル
６      ケーブル
７      造営材
【図１】
0003153732.tif 000003
【図２】
0003153732.tif 000004
(57)【要約】      （修正有）【課題】三味線が滑らず安定し、演奏のしやすさを実現する滑り止め具を提供する。【解決手段】本三味線滑り止め具は滑り止め具の一端に中子先２に通すことのできる孔または切れ込み１１を形成し、中子先２に掛け、三味線滑り止め具５に連なる別の一端部を左足大腿部もしくは左足脛部で荷重し固定することで三味線太鼓部１に滑る方向と逆方向に張力を発生させ、三味線太鼓部１の滑りを止める。【選択図】図１
0003153790.tif 000002
【実用新案登録請求の範囲】
【請求項１】
一端部に三味線中子先に通すことの出来る孔または切れ込みがあることを特徴とする三味線演奏用滑り止め具。
【請求項２】
微少伸縮素材で孔または切れ込みを補強した多重構造を特徴とする請求項１に記載の三味線演奏用滑り止め具。
【請求項３】
両端部に三味線中子先に通すことの出来る孔または切れ込みがあることを特徴とする請求項１に記載の三味線演奏用滑り止め具。
【請求項４】
中子先に通すことのできる孔または切れ込みのない別の一端部に張力伝達手段が形成されている請求項１に記載の三味線演奏用滑り止め具。
【請求項５】
両面とも上面として使用できることを特徴とする請求項１に記載の三味線演奏用滑り止め具。
【考案の詳細な説明】
【技術分野】
【０００１】
本考案は、三味線演奏で三味線をしっかり固定する滑り止め具に関するものである。
【背景技術】
【０００２】
三味線はストラップなどの補助具を使用して立って演奏することもあるが、一般的には座って演奏する楽器である。三味線太鼓部１を演奏者の右足大腿部外側１２に接触させ撥４を持つ右手前腕部８を太鼓上面９に載せることでバランスをとり演奏する。その際、右足大腿部外側６に接した三味線太鼓部下面１２は下方に滑り落ちやすいため、伝統的に木綿の和手ぬぐいを滑り止めとして使用していた。
【０００３】
現在は、和手ぬぐいの他に皮革のトコ面またはトコ面状の滑り止め具非特許文献１、ポリエステル材に塩化ビニルを塗布した網状の滑り止め具非特許文献２、三味線太鼓下面に貼り付ける滑り止め具非特許文献３が公知品として市販されている。どの公知滑り止め具も三味線太鼓下面１２と右足大腿部６とに挟み込むか、三味線太鼓下面１２に貼り付けるかの違いはあるものの三味線太鼓下面と大腿部との間に挟むことで摩擦力を発生させ、三味線太鼓１の滑りを止めている。
【先行技術文献】
【特許文献】
【０００４】
【特許文献１】特開２００７ー１９９３２１号公報
【非特許文献】
【０００５】
【非特許文献１】http://www.wagakki-ichiba.com/fuzoku20052.htm
【非特許文献２】http://kakaku.ecnavi.jp/item_info/20692219022114.html
【非特許文献３】http://tenant.depart.livedoor.com/t/itorowagakki/item3154148.html
【考案の概要】
【考案が解決しようとする課題】
【０００６】
しかし、摩擦力だけで滑りをとめるには限度があり、演奏中に三味線がずれる事象がしばしば見受けられる。また、三味線撥４を持つ右手前腕８で三味線太鼓部上面９を押さえ、三味線のバランスをとるには相当の熟練を要し、そのための訓練時間が必要となる。
【課題を解決するための手段】
【０００７】
上記課題を解決するため、本考案に係る三味線演奏用滑り止め具はその一端に中子先２に通すことのできる孔または切れ込み（以下孔等という）１１をあけその孔等１１を中子先２に掛けることを特徴とする。
【０００８】
孔等１１のない別の一端（以下別の一端部という）１０に荷重をかけ三味線が滑り落ちる力と反対方向（中子先２から５への方向）の張力を中子先２に発生させ、三味線太鼓部１を固定することを特徴とする。
【考案の効果】
【０００９】
本考案に係る三味線滑り止め具は、公知の三味線滑り止め具が摩擦力とバチを持つ右手前腕とのバランスだけで滑りをとめていたのに加えて、三味線が滑り落ちようとする力と反対方向の力を滑り止めの一端に孔等１１をあけ中子先２に掛けることで滑り落ちる力と反対方向に力を発生させ、それを利用することで三味線が滑らず安定し、演奏のしやすさを実現するという利点がある。
【００１０】
また、公知の三味線滑り止め具使用時より本考案三味線滑り止め具を使用した方が三味線が安定するため撥４を持つ右手前腕８で三味線太鼓上面９を押さえてバランスをとる技術の習得が容易になるという利点がある。
【図面の簡単な説明】
【００１１】
【図１】図１は本考案に係る三味線滑り止め具の実施方法を示した説明図である。（実施例１）
【図２】図２は本考案に係る三味線滑り止め具と中子先２への取り付け模式図である。（実施例２）
【図３】図３は本考案に係る三味線滑り止め具の平面図、立面図（断面図）である。
【考案を実施するための形態】
【００１２】
三味線が滑らず演奏できるよう、三味線演奏用滑り止め具に中子先に掛ける孔等を施すことで実現した。
【実施例１】
【００１３】
図１は三味線演奏で本考案三味線滑り止め具を使用したときの正座奏模式図である。正座奏時には中子先２に孔等１１を掛けることで本考案三味線滑り止め具中央部（以下中央部という）５は右足大腿部上面６、左足大腿部上面７、左足頸部下に巻き込まれ別の一端部１０を左足頸部下と舞台または床との間に挟み込み、または右足大腿部上面６、左足大腿部上面７、同大腿部下と頸部腓復筋（ふくらはぎ）とで挟み込むことで、別の一端部１０に荷重がかかることで本考案滑り止め具全体が固定され、中子先２に三味線が滑り落ちる力と反対方向（２から５への方向）の張力を発生させ、三味線太鼓部１を固定する。
【実施例２】
【００１４】
椅子奏時は中子先２に孔等１１を掛け中央部５を右足大腿部上面６、左足大腿部上面７、左足大腿部下と椅子との間に敷き込むことで別の一端部１０に荷重がかかるり本考案滑り止め具全体が固定され、中子先２に三味線が滑り落ちる力と反対方向（２から５への方向）の張力を発生させ、三味線太鼓部１を固定する。
【００１５】
図２は本考案三味線滑り止め具開孔補強部（以下開孔補強部という）３に開けられた孔等１１を中子先に掛けたときの模式図である。開孔補強部３と中央部５は固定されており、図１図３に図示した別の一端部１０に連なることを特徴とする。
【００１６】
図３は、本考案三味線滑り止め具の平面図および立面図（断面図）である。図３の開孔補強部３は中央部５のみの一重構造あるいは開孔補強材で補強した多重構造である。
【産業上の利用可能性】
【００１７】
本考案にかかる三味線演奏用滑り止め具は、三味線の他、三線（蛇皮線）、胡弓その他中子先を有する弦楽器に用いることができる。
【００１８】
１  三味線太鼓部
２  中子先
３  本考案三味線滑り止め具開孔補強部
４  三味線撥 
５  本考案三味線滑り止め具中央部
６  右足大腿部上面
７  左足大腿部上面
８  右手前腕
９  三味線太鼓部上面
１０  中子先に通すことのできる孔または切れ込みのない別の一端部
１１  中子先に通すことのできる孔または切れ込み
１２  三味線太鼓部下面
【図１】
0003153790.tif 000003
【図２】
0003153790.tif 000004
【図３】
0003153790.tif 000005
(57)【要約】      （修正有）【課題】特にブラシと歯面との接触面積を増やすことにより、洗浄効果を高めた歯ブラシを提供する。【解決手段】収容溝１２が形成されるヘッド部１０と、前記ヘッド部１０における収容溝１２に設置される固定凸縁と、該固定凸縁に密接状態で植設される複数の毛２２とを具備するブラシ部２０とを備え、前記複数の毛２２の先端を磨き面２３として、歯ブラシを構成する。【選択図】図１
0003153789.tif 000002
【実用新案登録請求の範囲】
【請求項１】
収容溝（１２）が形成されるヘッド部（１０）と、
前記ヘッド部（１０）における収容溝（１２）に設置される固定凸縁（２１）と、該固定凸縁（２１）に密接状態で植設される複数の毛（２２）とを具備するブラシ部（２０）とを備え、
前記複数の毛（２２）の先端により磨き面（２３）が構成されることを特徴とする歯ブラシ。
【請求項２】
前記収容溝（１２）の壁面上部から内部方向へ向かって固定部（１３）が延設されることを特徴する請求項１に記載の歯ブラシ。
【請求項３】
前記磨き面（２３）は、側面から見ると、歯を磨き易い形状に形成されていることを特徴する請求項１又は２に記載の歯ブラシ。
【考案の詳細な説明】
【技術分野】
【０００１】
本考案は、特にブラシと歯面との接触面積を増やした歯ブラシに関するものである。
【背景技術】
【０００２】
近年においては益々、衛生に対する関心が高まってきており、特に口腔のクリーニングは毎日行うものであることから、より洗浄効果に優れた歯ブラシが求められている。
図４に示すように、従来の歯ブラシは、植毛面（９１）が形成されるヘッド部（９０）を有し、該植毛面（９１）に複数の植毛穴（９２）が形成されると共に、該各植毛穴（９２）に複数本の毛（９３）を束ねてなる、歯垢を取り除くための毛束が植設される。
【０００３】
【特許文献１】特開平１０−３１３９４６号公報
【考案の開示】
【考案が解決しようとする課題】
【０００４】
しかしながら、前記従来の歯ブラシにおいては、複数の毛束が所定間隔をおいてヘッド部（９０）の植毛面（９１）に植設されるので、２つの毛束の間に隙間が存在する。このように従来の構成によれば、前記毛（９３）と歯面との接触面積が少ないことから、歯垢を十分に且つ効率よく除去することができないといった問題があった。
【０００５】
そこで、案出されたのが本考案であって、ブラシと歯面との接触面積を増やすことにより、洗浄効果を高めた歯ブラシを提供することを目的としている。
【課題を解決するための手段】
【０００６】
本願の請求項１の考案は、収容溝（１２）が形成されるヘッド部（１０）と、
前記ヘッド部（１０）における収容溝（１２）に設置される固定凸縁（２１）と、該固定凸縁（２１）に密接状態で植設される複数の毛（２２）とを具備するブラシ部（２０）とを備え、
前記複数の毛（２２）の先端により磨き面（２３）が構成されることを特徴とする歯ブラシ、を提供する。
【０００７】
本願の請求項２の考案は、前記収容溝（１２）の壁面上部から内部方向へ向かって固定部（１３）が延設されることを特徴する請求項１に記載の歯ブラシ、を提供する。
【０００８】
本願の請求項３の考案は、前記磨き面（２３）は、側面から見ると、歯を磨き易い形状に形成されていることを特徴する請求項１又は２に記載の歯ブラシ、を提供する。
【考案の効果】
【０００９】
本考案は上記の課題を解決するものであり、毛を密接状態で植設することにより、磨き面における毛の密度を高めたことから、本考案の歯ブラシを用いて歯磨きをするときに、ブラシと歯面や歯間との接触面積が多くなるので、歯面と歯間の歯垢を十分に取り除くことができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る歯ブラシの斜視図であり、図２は本考案に係る歯ブラシの分解斜視図であり、図３は本考案に係る歯ブラシの断面図である。
【００１２】
図１及び図２に示すように、本考案に係る歯ブラシは、ヘッド部（１０）と、ブラシ部（２０）とを備える構成であり、その内、該ヘッド部（１０）には、収容溝（１２）が形成され、該収容溝（１２）の壁面上部から内部方向へ向かって固定部（１３）が延設される。
前記ブラシ部（２０）は、固定凸縁（２１）と、歯と接触することにより歯垢を除去するための複数の毛（２２）とを具備し、その内、該固定凸縁（２１）は、前記ヘッド部（１０）における収容溝（１２）に固設されると共に、該固定凸縁（２１）に複数の毛（２２）が密接状態で植設される。
また、図３に示すように、本実施例によれば、複数の毛（２２）の先端により磨き面（２３）が構成され、更に、歯面と歯間に確実に当てるために、該磨き面（２３）は、側面から見て弧形に形成される。尚、磨き面（２３）は、歯を磨き易い形状であれば、如何なる形状であっても構わない。
【００１３】
上記の構成によれば、本考案では、歯ブラシを使用する時に、毛（２２）とヘッド部（１０）との間に生じるせん断応力を収容溝（１２）に設置される固定凸縁（２１）により吸収し且つ緩和すると共に、該収容溝（１２）の上部に形成される固定部（１３）により固定凸縁（２１）を収容溝（１２）内に強固に固定させることができるので、該毛（２２）の固定凸縁（２１）からの脱落を防止することができる。
【産業上の利用可能性】
【００１４】
本考案は上記の構成を有することから、毛を密接状態で植設することにより、磨き面における毛の密度をより高めたことから、ヘッド部を口腔内に入れ、ブラシを歯に当てて移動させたとき、ブラシと歯面や歯間との接触面積が多くなり、ヘッド部を移動させる間にブラシが歯面及び歯間に頻繁に接触するので、歯垢を十分に且つ効率よく除去することができる。
【図面の簡単な説明】
【００１５】
【図１】本考案に係る歯ブラシの斜視図である。
【図２】本考案に係る歯ブラシの分解斜視図である。
【図３】本考案に係る歯ブラシの断面図である。
【図４】従来の歯ブラシにおけるヘッド部の断面図である。
【符号の説明】
【００１６】
１０        ヘッド部
１２        収容溝
１３        固定部
２０        ブラシ部
２１        固定凸縁
２２        毛
２３        磨き面
９０        ヘッド部
９１        植毛面
９２        植毛穴
９３        毛
【図１】
0003153789.tif 000003
【図２】
0003153789.tif 000004
【図３】
0003153789.tif 000005
【図４】
0003153789.tif 000006
(57)【要約】      （修正有） 【課題】近年、養鶏場、民家、高速道路等に狸（小動物）が頻繁に出没するとの報告が多い。そこで、防止対応力がよく、費用も安く、施工性もよく、部材も少ない、狸などの小動物の侵入防護柵を提供する。【解決手段】桟又は金網を張った立入防護柵の外側（小動物の侵入側）の上端部に、断面が略円形状で直径が１０cm以上の略円筒物である軽量金属製パイプを金属製バンド或いは針金で結束追加施工する。樹脂製パイプと樹脂製バンドを用いてもよい。【選択図】図１
0003153966.tif 000002
【実用新案登録請求の範囲】
【請求項１】
桟又は金網を張った立入防護柵の外側（小動物の侵入側）の上端部に、断面が略円形状で直径が１０cm以上の略円筒物である軽量金属製パイプを金属製バンド或いは針金で結束追加施工する小動物侵入防止柵。
【請求項２】
桟又は金網を張った立入防護柵の外側（小動物の侵入側）の上端部に、断面が略円形状で直径が１０cm以上の略円筒物である樹脂製パイプを樹脂製バンドで結束追加施工する小動物侵入防止柵。
【考案の詳細な説明】
【技術分野】
【０００１】
本考案は、高速道路等への狸などの小動物の野生動物の侵入や横断を防止し、交通事故を回避するための侵入防護柵に関するものである。
【背景技術】
【０００２】
高速道路を占有、自動車専用道路として、人、歩行者、自転車の立入を禁止するため立入防護柵が設置されている。高速道路の走行距離の大幅な施工延伸に伴い、獣道を遮断したことにより、小動物が立入防護柵を乗越えることが最近増加傾向にあり、小動物の侵入に起因する交通事故による人命の損傷、道路構築物の損壊が問題視されている。特許文献１のように、地面に立設される複数の杭に電気線を掛け渡さることにより動物の侵入を防ぐ防護柵が提案されているが高価である。
【先行技術文献】
【特許文献】
【０００３】
【特許文献１】特開２００３−１５８９８６公報
【考案の概要】
【考案が解決しようとする課題】
【０００４】
人、歩行者、自転車の立入を禁止するため設置されている従来の立入防護柵では、狸などの小動物は、防護柵の隙間が小さくても、又、金網が張ってあっても、防護柵をよじ登って、高速道路に侵入するという課題がある。
山を横切る高速道路に、小動物の立ち入りを防止する新たな立入防護柵を設けるための課題は次の通りである。
１）立入防護柵に、小動物が進入しないように、隙間がないように桟や金網を
張っても、小動物は桟や金網をよじ登って高速道路に侵入する。
２）既に敷設されている、従来の立入防護柵を総入れ替えする必要があり膨大なコストがかかる。
３）小動物が高速道路上に侵入頻度が高いのは、特に山岳地を横縦断している道路である。原野で獣道同様、車両の通行も儘ならない，或いは通行不可の現場が多いため、たいそうな工事ができない。      
４）車両、重機の搬入も不可、作業用電源もない。
５）山間部は気候的に冬季の積雪が想定され、積雪荷重を考慮し、強度補強を要求
される。
【課題を解決するための手段】
【０００５】
以下本考案に至った検証実験と施工方法をしめす。
１）検証実験による狸の動作、習性の確認
金網とベニヤ板で狸を入れて観察する檻を作り、上部に丸い金属製の筒（パイプ等で直径が１０ｃｍ）をバンド又は針金で固定した。金網の上部と外側にエサを置き観察したところ、狸はいとも簡単に金網を登り始めた。狸は前足の爪を金網の交差しているところに前足の爪を絡ませて移動、金網を登ることができる。上部のパイプに達したとき、パイプの表面が円滑で且つ硬いため、爪は機能できない。そこで、金網柵の上部に金属パイプ（直径が１０cm）を設置したら上まで登ったが、パイプに足を掛けた瞬間に前足から滑って落下した。
【０００６】
２）施工方法
山岳地での高速道路への立入防護柵を施工するための要件は次の通りである。
（ａ）悪条件での作業、（ｂ）パイプの軽量化、（Ｃ）取付工具、冶具の軽量化、（ｄ）人的作業中心でのパイプや支柱の補強鋼材の短尺化。
【０００７】
以上の検証実験と、施工方法の検討から、既設の桟や金網などで構成した立入防護柵の上端部に金属性、又は樹脂製の断面が略円形状の略円筒状物を取付け、桟や金網を小動物がよじ登ろうとしても、上端部に設けた略円筒状物で、爪が滑ることで落下させ、柵の乗越え侵入を防ぐ小動物侵入防護柵を提供する。
【考案の効果】
【０００８】
高速道路などへの小動物の侵入を禁止することにより次のような効果がある。
１）小動物の衝突回避による車両事故防止。  
２）車両と車両、車両の横転、道路構築物衝突による人命の損傷抑止。
３）小額の材料費、取付施工費で施工延長の長い高速道路での大幅な施工の費用の削減。    
【図面の簡単な説明】
【０００９】
【図１】本考案の小動物侵入防護柵
【図２】本考案を既設金網柵（山型鋼を使用）に適用した小動物侵入防護柵
【図３】本考案を既設金網柵（鋼管を使用）に適用した小動物侵入防護柵
【考案を実施するための形態】
【００１０】
既設の防護柵に本考案を適用した小動物進入防護柵の構成を図１に示す。図１(a)は側面図、図1(b)は小動物の進入側（外側）からみた正面図である。既設金網柵の上端部の小動物の侵入側に、断面が略円形状で直径が１０cm以上の略円筒物である軽量金属製パイプ１を金属製バンド２か或は針金３で結束し、取りつけている。
【実施例１】
【００１１】
図２は、既設金網柵の胴縁が山形鋼（４cm以上）の上端部の小動物の侵入側に、断面が略円形状で直径が１０cm以上の略円筒物である軽量金属製パイプ１を金属製バンド２か或は針金３で結束し、取りつけた実施例である。
【実施例２】
【００１２】
図３は、既設金網柵の胴縁が鋼管（２cm以上）の上端部の小動物の侵入側に、断面が略円形状で直径が１０cm以上の略円筒物である軽量金属製パイプ１を金属製バンド２か或は針金３で結束し、取りつけた実施例である。
実施例１と実施例２での軽量金属製パイプ１、金属製バンド２を夫々、小動物の爪が滑り易い１０cm以上の樹脂製パイプ、樹脂製バンドに置き換えてもよい。
【産業上の利用可能性】
【００１３】
特にハイスピードで走行する高速道路での小動物侵入による急ブレーキ、急ハンドル操作で車両の追突、車両の落下、道路構築物への衝突による交通事故防止は愁眉である。本考案により、小動物が起因するこれらの事象で人命の喪失、車両、道路構築物の破壊損傷を未然に防げる。
【符号の説明】
【００１４】
１  軽量金属製パイプ
２  金属製バンド
３  針金
【図１】
0003153966.tif 000003
【図２】
0003153966.tif 000004
【図３】
0003153966.tif 000005
(57)【要約】【課題】政治・選挙用の広告の寸法規制を順守し、自動車に対して磁着による着脱可能とする広告用マグネットシートを提供する。【解決手段】本考案は、表面が広告表示面となっており、磁力で自動車の磁性体部に磁着するマグネットシートにおいて、下層部分に自動車の表面に磁着する磁性体を有する貼付手段と、表層部分に、選挙に関する規制等に合格した表示形態の広告手段と、を有し、上記規制に定められた範囲内の寸法を有する大きさであること、を特徴とする政治・選挙広告用マグネットシート看板。【選択図】図１
0003153981.tif 000002
【実用新案登録請求の範囲】
【請求項１】
表面が広告表示面となっており、磁力で自動車の磁性体部に磁着するマグネットシートにおいて、
下層部分に自動車の表面に磁着する磁性体を有する貼付手段と、
表層部分に、選挙に関する規制等に合格した表示形態の広告手段と、を有し、
上記規制に定められた範囲内の寸法を有する大きさであること、
を特徴とする政治・選挙広告用マグネットシート。
【考案の詳細な説明】
【技術分野】
【０００１】
本考案は、自動車の表面部分に貼り付けられ選挙用に立候補者の氏名等を表示する選挙用のマグネットシートに関するものである。
【背景技術】
【０００２】
自動車等の表面に広告表示を行うために、塗装により直接広告等を書き込むこと、及び出力した塩ビシートを直接貼り付けること、をしていた。そのため、書き込みの作業が煩雑であった。また、塗装であるために当該自動車等は一度書き込みを行うと、広告の用途で使用しない際でも表示を続けることになる。
【０００３】
この点、特許文献１及び特許文献２において、自動車の外面に磁力により着脱可能にする広告表示用のマグネットシートが開示されている。このようなマグネットシートによれば、広告表示を行いたいときのみ自動車に着脱可能となる。また、磁力により磁着させるために、着脱も極めて容易に行えるものである。
【先行技術文献】
【特許文献】
【０００４】
【特許文献１】実開昭５７−７９８８３
【特許文献２】実開昭５９−１４９１７５
【考案の概要】
【考案が解決しようとする課題】
【０００５】
しかしながら、広告表示のため磁着することができるマグネットシートを開示したものに過ぎず、選挙用に用いるためには、その大きさが公職選挙法等の規定の大きさに準拠していなければならず、そのままでは使用できないという問題がある。
また、選挙用の場合、自家用車にそのまま印刷してしまうと、公示日前には、看板は目隠ししなければならないので、覆いをかけなければならず、看板設置から公示日まで自分の車が使用できないという問題があった。
また、印刷した場合には、現状回復をする際に、車の表面に傷などが付いてしまう恐れがあった。
【０００６】
本考案の目的は、自家用車やレンタカーなどを選挙用・政治活動用の車をとすることができる選挙用・政治活動用広告マグネットシート看板を提供することである。
【課題を解決するための手段】
【０００７】
本考案の一の実施形態は、表面が広告表示面となっており、磁力で自動車の磁性体部に磁着するマグネットシートにおいて、下層部分に自動車の表面に磁着する磁性体を有する貼付手段と、表層部分に、選挙に関する規制等に合格した表示形態の広告手段と、を有し、上記規制に定められた範囲内の寸法を有する大きさであること、を特徴とする。
【考案の効果】
【０００８】
本考案によれば、マグネットシート中の磁性体の磁力による磁着で、自動車の表面に対しての着脱が容易に可能となり、選挙用広告面には、法規を順守した大きさで広告表示か可能となる。
【図面の簡単な説明】
【０００９】
【図１】本考案に係る一の実施形態のマグネットシート
【図２】本考案に係る一の実施形態のマグネットシート
【考案を実施するための形態】
【００１０】
図１及び図２に、本考案に係るマグネットシート看板の一実施形態を示す。
マグネットシート１は、表面は選挙で立候補者の氏名等が印刷されており、裏面は磁性体により磁着することが可能な面となっている。
このマグネットシート１は、車のサイズに合わせて、いくつかの種類が用意されている。例えば、ワンボックスカー、軽自動車、ステーションワゴン、セダン、軽トラックなどの車の種類に応じ、かつ、公職選挙法の定める規格に合わせたサイズとなっている。選挙運動用自動車に掲示して使用するポスター、看板の類は、縦２７３ｃｍ、横７３ｃｍを超えてはならないことが定められている。
マグネットシート１の表面には、候補者の写真や、ロゴマークや名前又は政党名及び主張などの文字が印刷表示される。これらの印刷は、所定の大きさに抜き・断裁した白いマグネットシート１に直接写真や文字などをシルクスクリーン印刷する。
また、別の印刷方法として、合成紙及び塩ビシートに顔料系インクジェット印刷で印刷してマグネットシート１の表面に貼り、その上から表面に透明シートを貼ってもよい。
さらに別の印刷として、コート紙にオフセット印刷して表面にＰＰ加工した物をマグネットシート看板に張り合わせる
【００１１】
次にこの使用方法について説明する。
まず、選挙の候補者からの依頼に基づいて、所定の規格に型抜きしたマグネットシート１の表面に候補者の名前及び写真、政党、主張などを印刷する。
この印刷方法は、前述のいずれかの方法により印刷を行なう。
【００１２】
表面に印刷がされたマグネットシート１を候補者は受け取り選挙公示日まで自動車には張らずにしまっておく。
そして、選挙公示日になってから、候補者は自動車の所定の部分にマグネットシート１を貼る。これにより、例えば、図１に示すように自家用車の前面（ボンネット部分）や、図２のように自動車の側面に、このマグネットシート１を磁力により貼ることができる。
これにより、マグネットシート１は、自動車に貼り付けられ、あたかも自動車自体に候補者の顔写真や名前などが印刷されているかのように見える。
また、選挙期間が終わった場合には、自動車に貼ったマグネットシート１を手で剥がす。これにより、自動車は現状回復がされる。
また、選挙期間外の時期には、従来のように選挙用の車にシートを被せるなどのことをしなくても、マグネットシート１を取り外すだけで済むという利点がある。
【符号の説明】
【００１３】
１  マグネットシート
【図１】
0003153981.tif 000003
【図２】
0003153981.tif 000004
(57)【要約】      （修正有） 【課題】車、人の流れをスムーズにし、交通事故防止を推進する交通信号機を提供する。【解決手段】従来の青色表示を無くして、直進、左折、右折を単独進行に変えて、接触状態を無くし、又、青色表示から黄色表示に変わった時点で停止しようか、渡りきろうか、ジレンマが生じ事故につながる問題があるので、黄色表示に変わる前に点滅表示を加えることにより、ジレンマ状態が軽減される。【選択図】図１
0003153926.tif 000002
【実用新案登録請求の範囲】
【請求項１】
本交通信号機は点灯表示部に発光ダイオードを取り付け、青色表示、黄色表示、赤色表示の発光表示部のタイミングを順次切り変えて発光制御手段を備えたことを特徴とする交通信号機。
【請求項２】
直進表示、左折表示、右折表示から黄色表示時のジレンマを軽減するために、直進表示、左折表示、右折表示から黄色表示に変わる前に数回の点滅を加える事によりジレンマの軽減を特徴とする請求項1の交通信号機。
【考案の詳細な説明】
【技術分野】
【０００１】
本考案は、交通信号機の点灯表示部に発光ダイオードを取り付けた、交通信号機に関するものである。
【背景技術】
【０００２】
交通信号機は車、人の流れをスムーズにし、交通事故防止を目的とするものである。
【考案の概要】
【考案が解決しようとする課題】
【０００３】
従来の交通信号機は青色表示で、直進、左折、右折、歩行者が同時に進めでは、接触状態を生じ事故につながる、又、青色表示から黄色表示に変わった時点で停止しようか、渡りきろうか、ジレンマが生じ事故につながる問題がある。
【課題を解決するための手段】
【０００４】
本考案は前記目的を達成するために、従来の青色表示を無くし、直進矢印、左折矢印、右折矢印と単独表示によって接触状態が無くなり、又、黄色表示に変わる前に点滅表示を加えることにより、ジレンマ状態が軽減される。
【考案の効果】
【０００５】
本考案の交通信号機は、青色表示が無く直進表示、左折表示、右折表示と単独表示によって接触状態が無くなり、又、黄色表示に変わる前に点滅表示を加えた事により、ジレンマ状態が軽減された。
【図面の簡単な説明】
【０００６】
【図１】本考案の交通信号機の外観図である。
【図２】従来の信号機である。
【図３】本考案の交通信号機の点灯表示のタイミングチャートである。
【考案を実施するための形態】
【０００７】
図１の発光パネルに符号２,３,４,５,６の形態で発光ダイオードを配置。
【実施例】
【０００８】
図1の発光パネルに図３のタイミングチャートで点灯する。
【符号の説明】
【０００９】
1  発光パネル
2  直進表示(青色）
3  黄色表示
4  赤色表示
5  左折表示(青色)
6  右折表示(青色)
7  コントロールボックス
【図１】
0003153926.tif 000003
【図２】
0003153926.tif 000004
【図３】
0003153926.tif 000005